(57)【要約】【課題】  演奏曲を媒介とした利用者相互間のコミュニケーションを実現する電子早見本装置及びカラオケシステムを提供する。【解決手段】  タッチパネル７６による操作に応じてカラオケ装置１６への選曲入力を行う選曲手段１２６と、その選曲手段１２６により所定の選曲入力が行われた場合には、前記タッチパネル７６による操作に応じて所定の入力情報を、選曲された演奏曲と関連付けて受け付ける受付手段１２８と、その受付手段１２８により受け付けられた入力情報を前記演奏曲と関連付けて記憶する記憶部８６とを、有することから、電子早見本装置２２による演奏曲の選曲に際して、その選曲された演奏曲にまつわるメッセージ等の情報を受け付けて記憶することで、不特定多数の利用者を対象としたコミュニケーションの場を成立させられる。【選択図】  図６
2006251704.tif 000002
【特許請求の範囲】
【請求項１】
多数の演奏曲のうちから選択される所定の演奏曲を出力させるカラオケ装置を遠隔操作するために、所定の画像を表示させると共に利用者の接触に応じて前記カラオケ装置への入力を行うタッチパネルディスプレイを備えた電子早見本装置であって、
前記タッチパネルディスプレイによる操作に応じて前記カラオケ装置への選曲入力を行う選曲手段と、
該選曲手段により所定の選曲入力が行われた場合には、前記タッチパネルディスプレイによる操作に応じて所定の入力情報を、選曲された演奏曲と関連付けて受け付ける受付手段と、
該受付手段により受け付けられた入力情報を前記演奏曲と関連付けて記憶する記憶部と
を、有することを特徴とする電子早見本装置。
【請求項２】
前記入力情報は、前記タッチパネルディスプレイによる操作に応じて入力される文字情報である請求項１の電子早見本装置。
【請求項３】
前記入力情報は、前記タッチパネルディスプレイによる操作に応じて入力される映像情報である請求項１の電子早見本装置。
【請求項４】
前記入力情報は、前記タッチパネルディスプレイによる操作に応じて他の端末から取り込まれる映像情報である請求項１の電子早見本装置。
【請求項５】
前記受付手段は、前記記憶部に記憶された入力情報に従属して更に従属入力情報を受け付けるものであり、前記記憶部は、該受付手段により受け付けられた従属入力情報を、前記入力情報に従属させて記憶するものである請求項１から４の何れかの電子早見本装置。
【請求項６】
前記記憶部に記憶された入力情報を、前記タッチパネルディスプレイによる前記演奏曲を索引とした操作に応じて該タッチパネルディスプレイに表示させる表示手段を有するものである請求項１から５の何れかの電子早見本装置。
【請求項７】
請求項１から６の何れかの電子早見本装置と、
所定の通信回線を介して該電子早見本装置と情報の送受信を行い得るセンタ装置と
を、備えたカラオケシステムであって、
前記センタ装置は、前記電子早見本装置の記憶部に記憶された入力情報を取得して統括的に記憶する記憶装置を有するものであるカラオケシステム。
【請求項８】
前記センタ装置は、前記記憶装置に記憶された入力情報を、所定の端末による閲覧可能に公開する公開手段を有するものである請求項７のカラオケシステム。
【請求項９】
前記公開手段は、所定の顧客情報が入力された場合にのみ前記記憶装置に記憶された入力情報を閲覧可能とするものである請求項８のカラオケシステム。
【請求項１０】
前記センタ装置は、前記記憶装置に記憶された入力情報に従属して更に従属入力情報を受け付ける受付手段を有するものである請求項７から９の何れかのカラオケシステム。
【請求項１１】
前記受付手段は、所定の顧客情報が入力された場合にのみ前記従属入力情報を受け付けるものである請求項１０のカラオケシステム。
【発明の詳細な説明】
【技術分野】
【０００１】
本発明は、多数の演奏曲のうちから選択される所定の演奏曲を出力させるカラオケ装置を遠隔操作するための電子早見本装置及びその電子早見本装置を用いたカラオケシステムの改良に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
斯かるカラオケ装置を遠隔操作するために、所定の画像を表示させると共に利用者の接触に応じてそのカラオケ装置への入力を行うタッチパネルディスプレイを備えた電子早見本装置が知られている。例えば、特許文献１に記載された多機能カラオケリモコン装置がそれである。この技術によれば、上記タッチパネルディスプレイに表示される映像を参照しつつ利用者の指や備え付けのペン等の接触（タッチ入力）により簡便に上記カラオケ装置への入力を行うことができ、また、機能的に備えられたメモ帳に利用者毎の予約曲リスト及びそれら予約曲に関するメモを記憶することができる。
【０００４】
【特許文献１】特開２００４−６２０８１号公報
【０００５】
しかし、前記従来の技術に備えられたメモ帳の機能は、予約曲及び予約曲に関するメモを記憶するといった簡易で一時的なものであったため、不特定多数の利用者を対象としたコミュニケーションの手段には成り得なかった。本発明者は、電子早見本装置は演奏曲の選曲に際して利用者が必然的に使用する入力装置であることに着目し、演奏曲を媒介とした利用者相互間のコミュニケーションの手段として斯かる電子早見本装置を用いる技術を発案するに至った。
【発明の開示】
【発明が解決しようとする課題】
【０００６】
本発明は、以上の事情を背景として為されたものであり、その目的とするところは、演奏曲を媒介とした利用者相互間のコミュニケーションを実現する電子早見本装置及びカラオケシステムを提供することにある。
【課題を解決するための手段】
【０００７】
斯かる目的を達成するために、本第１発明の要旨とするところは、多数の演奏曲のうちから選択される所定の演奏曲を出力させるカラオケ装置を遠隔操作するために、所定の画像を表示させると共に利用者の接触に応じて前記カラオケ装置への入力を行うタッチパネルディスプレイを備えた電子早見本装置であって、前記タッチパネルディスプレイによる操作に応じて前記カラオケ装置への選曲入力を行う選曲手段と、その選曲手段により所定の選曲入力が行われた場合には、前記タッチパネルディスプレイによる操作に応じて所定の入力情報を、選曲された演奏曲と関連付けて受け付ける受付手段と、その受付手段により受け付けられた入力情報を前記演奏曲と関連付けて記憶する記憶部とを、有することを特徴とするものである。
【０００８】
また、前記目的を達成するために、本第２発明の要旨とするところは、前記第１発明の電子早見本装置と、所定の通信回線を介してその電子早見本装置と情報の送受信を行い得るセンタ装置とを、備えたカラオケシステムであって、前記センタ装置は、前記電子早見本装置の記憶部に記憶された入力情報を取得して統括的に記憶する記憶装置を有することを特徴とするものである。
【発明の効果】
【０００９】
このように、前記第１発明によれば、前記タッチパネルディスプレイによる操作に応じて前記カラオケ装置への選曲入力を行う選曲手段と、その選曲手段により所定の選曲入力が行われた場合には、前記タッチパネルディスプレイによる操作に応じて所定の入力情報を、選曲された演奏曲と関連付けて受け付ける受付手段と、その受付手段により受け付けられた入力情報を前記演奏曲と関連付けて記憶する記憶部とを、有することから、電子早見本装置による演奏曲の選曲に際して、その選曲された演奏曲にまつわるメッセージ等の情報を受け付けて記憶することで、不特定多数の利用者を対象としたコミュニケーションの場を成立させられる。すなわち、演奏曲を媒介とした利用者相互間のコミュニケーションを実現する電子早見本装置を提供することができる。
【００１０】
ここで、前記第１発明において、好適には、前記入力情報は、前記タッチパネルディスプレイによる操作に応じて入力される文字情報である。このようにすれば、前記電子早見本装置により選曲された演奏曲にまつわるメッセージを受け付けて記憶することで、好適なコミュニケーションの場を成立させられるという利点がある。
【００１１】
また、好適には、前記入力情報は、前記タッチパネルディスプレイによる操作に応じて入力される映像情報である。このようにすれば、前記電子早見本装置により選曲された演奏曲にまつわるフリータッチ絵等を受け付けて記憶することで、好適なコミュニケーションの場を成立させられるという利点がある。
【００１２】
また、好適には、前記入力情報は、前記タッチパネルディスプレイによる操作に応じて他の端末から取り込まれる映像情報である。このようにすれば、前記電子早見本装置により選曲された演奏曲に関連して、その演奏曲を選曲した利用者の映像等をデジタルカメラ付携帯電話機等の端末から取り込んで記憶することで、好適なコミュニケーションの場を成立させられるという利点がある。
【００１３】
また、好適には、前記受付手段は、前記記憶部に記憶された入力情報に従属して更に従属入力情報を受け付けるものであり、前記記憶部は、その受付手段により受け付けられた従属入力情報を、前記入力情報に従属させて記憶するものである。このようにすれば、前記電子早見本装置により選曲された演奏曲に関連して入力されたメッセージ等の情報に、所謂レスポンスとして従属入力情報を付加することができ、発展性のあるコミュニケーションの場を成立させられるという利点がある。
【００１４】
また、好適には、前記記憶部に記憶された入力情報を、前記タッチパネルディスプレイによる前記演奏曲を索引とした操作に応じてそのタッチパネルディスプレイに表示させる表示手段を有するものである。このようにすれば、前記記憶部に蓄積された入力情報を適宜利用者の閲覧に供することができるという利点がある。
【００１５】
また、前記第２発明によれば、前記センタ装置は、前記電子早見本装置の記憶部に記憶された入力情報を取得して統括的に記憶する記憶装置を有することから、前記電子早見本装置により選曲された演奏曲に関連して入力されたメッセージ等の情報を統括管理することで、不特定多数の利用者を対象としたコミュニケーションの場を成立させられる。すなわち、演奏曲を媒介とした利用者相互間のコミュニケーションを実現するカラオケシステムを提供することができる。
【００１６】
ここで、前記第２発明において、好適には、前記センタ装置は、前記記憶装置に記憶された入力情報を、所定の端末による閲覧可能に公開する公開手段を有するものである。このようにすれば、前記電子早見本装置により選曲された演奏曲に関連して入力されたメッセージ等の情報をインターネット等を介して公開することで、更に多くの利用者を対象としたコミュニケーションの場を成立させられるという利点がある。
【００１７】
また、好適には、前記公開手段は、所定の顧客情報が入力された場合にのみ前記記憶装置に記憶された入力情報を閲覧可能とするものである。このようにすれば、顧客情報を有する会員限定のコミュニケーションの場とすることで、乱暴なレスポンスをする利用者を排除してコミュニティの品位を一定の水準に保てるという利点がある。
【００１８】
また、好適には、前記センタ装置は、前記記憶装置に記憶された入力情報に従属して更に従属入力情報を受け付ける受付手段を有するものである。このようにすれば、前記電子早見本装置により選曲された演奏曲に関連して入力されたメッセージ等の情報に、所謂レスポンスとして従属入力情報を付加することができ、発展性のあるコミュニケーションの場を成立させられるという利点がある。
【００１９】
また、好適には、前記受付手段は、所定の顧客情報が入力された場合にのみ前記従属入力情報を受け付けるものである。このようにすれば、顧客情報を有する会員限定のコミュニケーションの場とすることで、乱暴なレスポンスをする利用者を排除してコミュニティの品位を一定の水準に保てるという利点がある。
【００２０】
以下、本発明の好適な実施例を図面に基づいて詳細に説明する。
【実施例】
【００２１】
図１は、本発明の一実施例であるカラオケシステム１０を説明する概略図である。この図１に示すように、本実施例のカラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）のカラオケ装置１６ａ、１６ｂ、１６ｃ、・・・（以下、特に区別しない場合には単にカラオケ装置１６と称する）が設置されている。これら複数のカラオケ装置１６のうち、マスターコマンダである所定のカラオケ装置１６ａは、公衆電話回線等による通信回線１８を介してカラオケサービス提供会社のセンタ装置２０に接続されており、そのセンタ装置２０と上記カラオケ装置１６ａの相互間で情報の通信が可能とされている。このセンタ装置２０は、カラオケ情報、背景映像情報、曲間情報等のデジタルコンテンツ（Digital Contents）の保管や入出力管理の基本的な制御に加えて、後述するメッセージ受付／公開制御を行うサーバであり、上記通信回線１８を介してマスターコマンダであるカラオケ装置１６ａに定期的にコンテンツの配信を行うと共に、そのカラオケ装置１６ａからの要求に応じて所定の機能制御プログラムを送信するものである。また、上記カラオケシステム１０は、複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台ずつの電子早見本装置２２が貸与され、各個室１４において後述するように上記カラオケ装置１６の遠隔操作装置として用いられるようになっている。上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。
【００２２】
図２は、上記カラオケ装置１６の構成を例示するブロック線図である。この図２に示すように、上記カラオケ装置１６は、ＣＲＴ等の映像表示装置３０と、映像情報デコーダ３２と、ビデオミキサ３４と、アンプミキサ３６と、スピーカ３８と、マイクロフォン４０と、操作パネル４２と、中央演算処理装置であるＣＰＵ４４と、ＲＯＭ４６と、ＲＡＭ４８と、記憶装置であるハードディスク５０と、モデム５２と、ＬＡＮポート５４と、ＣＲＴコントローラ５６と、上記操作パネル４２等からの入力信号を処理する入出力インターフェイス５８と、音源であるシンセサイザ６０と、上記電子早見本装置２２やリモコン装置６６等の入力装置からのリモコン信号を受信するためのリモコン受信部６２とを、備えて構成されている。
【００２３】
上記ＣＰＵ４４は、上記ＲＡＭ４８の一時記憶機能を利用しつつ上記ＲＯＭ４６に予め記憶された所定のプログラムに基づいて電子情報を処理・制御する所謂コンピュータであり、上記リモコン装置６６や電子早見本装置２２等により所定のカラオケ演奏曲が選曲された場合、その選曲されたカラオケ演奏曲を上記ＲＡＭ４８に設けられた予約曲リストに登録したり、その予約曲リストの演奏順に従って上記ハードディスク５０から上記ＲＡＭ４８に選曲されたカラオケ演奏曲の演奏情報及び歌詞情報等を読み出したり、カラオケ演奏曲の演奏が進行するのに応じてそのＲＡＭ４８から上記シンセサイザ６０へ演奏情報を送信したり、歌詞情報に基づいて歌詞文字映像を生成して上記ＣＲＴコントローラ５６へ送ったり、選曲時には曲名文字映像を生成して上記ＣＲＴコントローラ５６へ送ったり、上記映像情報デコーダ３２を制御して所定の背景映像を再生させたり、カラオケ演奏が行われていない間すなわち曲間において、新譜情報、選曲ランキング、店舗広告等の曲間情報を出力させたり、前記通信回線１８を介した前記センタ装置２０との間の情報通信制御等の基本的な制御を実行する。
【００２４】
前記操作パネル４２は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４２の一部機能を遠隔で実行するための入力装置として機能するリモコン装置６６が備えられており、前記リモコン受信部６２は、そのリモコン装置６６から送信されるリモコン信号を受信して前記ＣＰＵ４４へ供給する。また、前記カラオケ装置１６と電子早見本装置２２との対応付け（くくりつけ）処理も前記リモコン受信部６２を介して行われ、そのようにして前記カラオケ装置１６に対応付けられた電子早見本装置２２も同様に入力装置として機能する。
【００２５】
前記映像情報デコーダ３２は、利用者が歌詞を参照しながら歌を歌う際に前記ハードディスク５０に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ３２により再生された背景映像は、前記ビデオミキサへ送られる。また、前記ＣＲＴコントローラ５６は、前記ＣＰＵ４４において生成された歌詞文字映像等の文字映像（テロップ）を出力する文字映像出力装置であり、前記ビデオミキサ３４は、前記ＣＰＵ４４において生成され且つ前記ＣＲＴコントローラ５６から出力される文字映像と、前記映像情報デコーダ３２により再生される背景映像とを合成して前記映像表示装置３０に表示させる映像合成装置である。
【００２６】
前記シンセサイザ６０は、前記ハードディスク５０から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ６０により生成された音楽信号は、アナログ信号に変換されて前記アンプミキサ３６へ送られる。そのアンプミキサ３６では、送られてきた音楽信号と前記マイクロフォン４０を介して入力される利用者の歌声とがミキシングされ、それらの信号が電気的に増幅されて前記スピーカ３８から出力される。
【００２７】
前記モデム５２は、前記カラオケ装置１６を公衆電話回線等による通信回線１８に接続するための装置であり、前記ＣＰＵ４４から出力されるディジタル信号をアナログ信号に変換して前記通信回線１８に送り出すと共に、その通信回線１８を介して伝送されるアナログ信号をディジタル信号に変換して前記ＣＰＵ４４に供給する処理を行う。なお、このモデム５２は、マスターコマンダとして機能するカラオケ装置１６ａには必要とされるが、前記センタ装置２０との間で情報の通信を行わない他のカラオケ装置１６には必ずしも設けられなくともよい。
【００２８】
前記ＬＡＮポート５４は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６により受け付けられる前記電子早見本装置２２からの選曲入力を受け付けたり、前記カラオケ装置１６から電子早見本装置２２へ所定の処理を実行させるための指令を送信したりというように、電波を介して前記カラオケ装置１６と電子早見本装置２２との間における相互の情報のやりとりが実行される。
【００２９】
前記ハードディスク５０には、カラオケ演奏曲を出力させるための多数のカラオケ情報を記憶するカラオケデータベース、背景映像を出力させるための複数の背景映像情報を記憶する背景映像データベース、曲間情報を出力させるための複数の曲間情報を記憶する曲間情報データベース等の各種データベースが設けられている。カラオケボックス等の店舗にそれぞれ備えられた複数のカラオケ装置１６のうちマスターコマンダとして機能するカラオケ装置１６ａは、前記モデム５２を介して前記通信回線１８に接続されており、前記複数のカラオケ装置１６によって常に新しい曲が演奏可能とされるように、或いは所定の背景映像や曲間情報が出力可能とされるように、随時新たなカラオケ情報、背景映像情報、曲間情報等が前記センタ装置２０から前記通信回線１８を介して配信され、前記ハードディスク５０のカラオケデータベース、背景映像データベース、曲間情報データベース等に記憶される。また、そのようにして前記センタ装置２０から情報を取得したカラオケ装置１６ａとその他のカラオケ装置１６との間で前記ＬＡＮ２４を介した通信が行われることにより、各カラオケ装置１６のハードディスク５０に記憶される情報が共有され、カラオケデータベース、背景映像データベース、曲間情報データベース等の内容が等価なものとされる。
【００３０】
図３は、前記電子早見本装置２２の外観を大まかに示す斜視図である。この図３に示すように、前記電子早見本装置２２は、所定の画像（映像）を表示させると共に、利用者の接触に応じて入力を行うためのタッチパネルディスプレイ７０を備えている。また、前記カラオケ装置１６との間でデータの送受信や同期を実行したり、前記電子早見本装置２２に内蔵されたバッテリを充電する等の動作を行うスタンド型の接続架台（ドッキングテーブル）であるクレイドル６８を備えている。前記電子早見本装置２２は、そのクレイドル６８に取り付けられた状態又はそのクレイドル６８から取り外された状態で用いられ、取り付けられた状態においては、そのクレイドル６８及びＬＡＮ２４を介して前記カラオケ装置１６に有線接続されるようになっている。また、上記クレイドル６８から取り外された状態においては、上記アクセスポイント２６及びＬＡＮ２４を介して前記カラオケ装置１６に無線接続されるようになっている。また、前記ＬＡＮ２４、マスターコマンダである前記カラオケ装置１６ａ、及び通信回線１８を介して前記センタ装置２０と接続され、そのセンタ装置２０との間で間接或いは直接に情報の送受信ができるように構成されている。
【００３１】
図４は、前記電子早見本装置２２の構成を説明するブロック線図である。この図４に示すように、前記電子早見本装置２２は、上記タッチパネルディスプレイ７０に所定の映像を表示させる表示装置７２と、その表示装置７２による表示を制御する表示制御部７４と、利用者の指や図示しない備え付けのペン等によるタッチパネルディスプレイ７０への接触により入力を行うタッチパネル７６と、そのタッチパネル７６による入力を制御する入力制御部７８と、中央演算処理装置であるＣＰＵ８０と、ＲＯＭ８２と、ＲＡＭ８４と、フラッシュＲＯＭ等の記憶部８６と、インターフェイス８８と、リモコン送信部９０と、無線ＬＡＮ通信部９２と、コネクタ９４とを、備えて構成されている。上記クレイドル６８には、前記電子早見本装置２２と電気的な接続を可能とするためのコネクタ９６が設けられており、前記電子早見本装置２２は、前記クレイドル６８に載置されて上記コネクタ９４及び９６が接触させられることで、上記インターフェイス８８を介して前記クレイドル６８乃至はＬＡＮ２４に接続されるようになっている。また、上記記憶部８６には、前記カラオケ装置１６のカラオケデータベースに記憶された多数のカラオケ情報それぞれに対応して曲名、アーティスト名、歌詞の歌い出し部分等の選曲案内情報を選曲番号毎に記憶する演奏曲データベース１００、後述するメッセージ情報を記憶するメッセージデータベース１０２等の各種データベースが設けられている。
【００３２】
上記ＣＰＵ８０は、上記ＲＡＭ８４の一時記憶機能を利用しつつ上記ＲＯＭ８２に予め記憶された所定のプログラムに基づいて電子情報を処理・制御する所謂コンピュータであり、上記記憶部８６から選曲案内情報を読み出し、上記表示装置７２を介してその選曲案内情報に基づく所定の案内映像を上記タッチパネルディスプレイ７０に表示させたり、そのタッチパネルディスプレイ７０に表示された案内映像に従って上記タッチパネル７６による入力が行われた場合、カラオケ演奏曲を予約するための選曲信号（選曲予約信号）を上記無線ＬＡＮ通信部９２等を介して前記カラオケ装置１６に送信する等の基本的な制御に加えて、後述するメッセージ受付／表示制御を実行する。
【００３３】
図５は、前記センタ装置２０の構成を説明するブロック線図である。この図５に示すように、前記センタ装置２０は、中央演算処理装置であるＣＰＵ１０４によりＲＡＭ１０８の一時記憶機能を利用しつつＲＯＭ１０６に予め記憶されたプログラムに従って信号処理を行う所謂マイクロコンピュータシステムを備えており、マスターコマンダである前記カラオケ装置１６ａへのカラオケ情報及び背景映像情報等のコンテンツ配信制御をはじめとする基本的な制御に加えて、後述するメッセージ受付／公開制御を実行する。また、ＣＲＴコントローラ１１０により制御されるＣＲＴ等の映像表示装置１１２と、インターフェイス１１４を介して接続されるキーボード等の入力装置１１６と、ハードディスク等の記憶装置１２０と、上記ＣＰＵ１０４を前記通信回線１８に接続するための装置であるモデム１１８とを、備えて構成されている。また、上記記憶装置１２０には、前記カラオケ装置１６ａに配信するための前記カラオケ情報を記憶するカラオケデータベース１２２、後述するメッセージ情報を統括的に記憶するメッセージデータベース１２４等の各種データベースが設けられている。
【００３４】
図６は、前記電子早見本装置２２のＣＰＵ８０及びセンタ装置２０のＣＰＵ１０４による制御機能の要部を説明する機能ブロック線図である。この図６に示す選曲手段１２６、受付手段１２８、及び表示手段１３０は、前記電子早見本装置２２のＣＰＵ８０に機能的に備えられたものであり、公開手段１３２及び受付手段１３４は、前記センタ装置２０のＣＰＵ１０４に機能的に備えられたものである。
【００３５】
選曲手段１２６は、前記タッチパネルディスプレイ７０による操作に応じて前記カラオケ装置１６への選曲入力を行う。具体的には、前記表示制御部７４を介して前記表示装置７２に所定の選曲入力画面を表示させ、その表示に従って行われる前記タッチパネル７６への利用者の指や備え付けのペン等の接触による選曲番号の入力を前記入力制御部７８を介して受け付け、その選曲番号を前記カラオケ装置１６に対して前記ＬＡＮ２４等を介して送信する。このようにして送信された選曲番号は、対象となるカラオケ装置１６のＲＡＭ４８等に形成された予約曲リストに予約曲として記憶される。
【００３６】
受付手段１２８は、前記選曲手段１２６により所定の選曲入力が行われた場合には、前記タッチパネルディスプレイ７０による操作に応じて所定の入力情報を、選曲された演奏曲と関連付けて受け付ける。具体的には、前記表示制御部７４を介して前記表示装置７２に所定のメッセージ入力画面を表示させ、その表示に従って行われる前記タッチパネル７６への利用者の指や備え付けのペン等の接触による操作に応じて、文字情報（テキスト情報）及び映像情報の少なくとも一方を含むメッセージ情報の入力を受け付ける。
【００３７】
図７は、前記受付手段１２８によるメッセージ情報の受付に際して前記タッチパネルディスプレイ７０に表示されるメッセージ入力画面の一例を示す図である。この図７に示すように、前記受付手段１２８は、前記メッセージ情報の受付に際して前記表示制御部７４を介して前記表示装置７２に五十音やアルファベットといった文字情報を入力するための文字ボタン１３８を表示させ、その文字ボタン１３８に該当する部分への利用者の接触に応じて前記タッチパネル７６によりその文字ボタン１３８に対応する文字の入力を受け付ける。その際、入力された文字を画面上部の表示窓１４０に表示させる。そして、画面右下の決定ボタン１４２に該当する部分への利用者の接触に応じてその時点で表示窓１４０に表示されている文字情報を確定して前記ＲＡＭ８４等に記憶する。
【００３８】
図８は、図７の画面に従った入力に続いて表示されるメッセージ入力画面の一例を示す図であり、電子メールアドレス及びホームページＵＲＬ入力画面を示している。この図８に示すように、前記受付手段１２８は、好適には、前記メッセージ情報の一部として利用者の電子メールアドレス及びホームページＵＲＬを受け付ける。具体的には、前記表示制御部７４を介して前記表示装置７２にアルファベット等の文字情報を入力するための文字ボタン１４４を表示させ、その文字ボタン１４４に該当する部分への利用者の接触に応じて前記タッチパネル７６によりその文字ボタン１４４に対応する文字の入力を受け付ける。その際、入力された文字を画面中央部の表示窓１４６、１４８に表示させる。そして、画面右下の決定ボタン１４２に該当する部分への利用者の接触に応じてその時点で表示窓１４６、１４８に表示されている電子メールアドレス及びホームページＵＲＬを確定して前記ＲＡＭ８４等に記憶する。
【００３９】
図９は、図８の画面に従った入力に続いて表示されるメッセージ入力画面の一例を示す図であり、お絵描き受付及び写真貼付画面を示している。この図９に示すように、前記受付手段１２８は、好適には、前記メッセージ情報の一部として種々の映像情報を受け付ける。具体的には、前記表示制御部７４を介して前記表示装置７２にお絵描き窓１４６を表示させ、そのお絵描き窓１４６に該当する部分に対する利用者の指や備え付けのペンによる接触（フリードロー）に応じて前記タッチパネル７６によりその描画入力を受け付ける。また、デジタルカメラ付携帯電話機等の端末により撮影された撮像情報を有線又は無線により取り込んで写真表示窓１４８に表示させる。そして、画面右下の決定ボタン１４２に該当する部分への利用者の接触に応じてその時点でお絵描き窓１４６及び写真表示窓１４８に表示されている映像情報を確定して前記ＲＡＭ８４等に記憶する。以上、図７乃至図９を用いて説明した一連の入力操作により、図１０に示すように文字情報及び映像情報を含むメッセージ１５０が受け付けられ、画面右下の決定ボタン１４２に該当する部分への利用者の接触に応じてそのメッセージ１５０が前記選曲手段１２６により選曲された演奏曲と関連付けられて前記メッセージデータベース１０２に記憶される。
【００４０】
図６に戻って、表示手段１３０は、前記メッセージデータベース１０２に記憶された入力情報を、前記タッチパネルディスプレイ７０による前記演奏曲を索引とした操作に応じてそのタッチパネルディスプレイ７０に表示させる。具体的には、先ず、前記表示制御部７４を介して前記表示装置７２に所定の演奏曲名入力画面を表示させ、その表示に従って入力される演奏曲名を索引（インデックス）としてその演奏曲と関連付けられた複数のメッセージ情報の何れかを選択させるためのメッセージ表示選択画面を表示させる。そして、その表示に従って行われる前記タッチパネル７６への利用者の指や備え付けのペン等の接触による操作に応じて、前記メッセージデータベース１０２から該当するメッセージ情報を読み出して前記表示制御部７４を介して前記表示装置７２に表示させる。
【００４１】
図１１は、前記表示手段１３０によるメッセージ情報の表示選択に際して前記タッチパネルディスプレイ７０に表示されるメッセージ表示選択画面の一例を示す図である。この図１１に示すように、前記表示手段１３０は、各演奏曲を索引としたメッセージ表示選択操作が行われた場合、前記表示制御部７４を介して前記表示装置７２に、その演奏曲と関連付けられて前記メッセージデータベース１０２に記憶された複数のメッセージ情報を読み出し、それらのメッセージ情報を選択するためのメッセージ選択ボタン１５２を例えば新着順（新しく入力されたものほど上位にくるよう）に表示させる。そして、そのメッセージ選択ボタン１５２に該当する部分への利用者の接触に応じてそのメッセージ選択ボタン１５２に該当するメッセージ情報を前記メッセージデータベース１０２から読み出し、図１０に示すようなメッセージ１５０を前記表示制御部７４を介して前記表示装置７２に表示させる。このようにして、利用者は演奏曲を索引として、その演奏曲を選曲した利用者により入力されたメッセージ情報を閲覧することができる。
【００４２】
ここで、前記受付手段１２８は、好適には、前記メッセージデータベース１０２に記憶された入力情報に従属して更に従属入力情報を受け付けるものである。すなわち、図１１に示すようなメッセージ表示選択画面において所定のメッセージ選択ボタン１５２が押されて該当するメッセージ情報が表示された際、図７乃至図９のようなメッセージ入力画面を表示させてそのメッセージ情報に対する返信としての従属メッセージ情報（レスポンス）の入力を受け付ける。この従属メッセージ情報としては、文字情報のみ受け付けるものであってもよいし、親となるメッセージ情報と同様に文字情報及び映像情報を含むものであっても構わない。このようにして受け付けられた従属メッセージ情報は、親となるメッセージ情報に従属させられ（関連付けられ）て前記メッセージデータベース１０２に記憶される。そして、前記表示手段１３０は、前述した操作に応じて所定のメッセージ情報が選択された際、そのメッセージ情報に従属する従属メッセージ情報を共に表示させたり、それら従属メッセージ情報を表示選択させるための図示しない従属メッセージ選択ボタンを表示させるというように、親となるメッセージ情報に従属させて子となる従属メッセージ情報を前記タッチパネルディスプレイ７０に表示させる。
【００４３】
図６に戻って、公開手段１３２は、前記メッセージデータベース１２４に記憶された入力情報を、所定の端末による閲覧可能に公開する。前記センタ装置２０は、マスターコマンダである前記カラオケ装置１６ａ乃至は前記電子早見本装置２２と定期的に情報の通信を行うことにより、各電子早見本装置２２のメッセージデータベース１０２に記憶されたメッセージ情報（従属メッセージ情報を含む、以下の説明において同じ）を取得して前記記憶装置１２０に設けられたメッセージデータベース１２４に統括的に記憶（蓄積）する。上記公開手段１３２は、具体的には、そのように前記メッセージデータベース１２４に統括的に記憶された多数のメッセージ情報を所定のウェブサイト（ホームページ）上に閲覧可能に公開する。このウェブサイトは、パーソナルコンピュータや携帯電話機をはじめとするウェブブラウザを有する端末１３６により前記通信回線１８を介して閲覧できるように形成されたものであり、このようにして、前記演奏曲の選曲に際して前記電子早見本装置２２において入力されたメッセージ情報がＷＷＷ（World Wide Web）すなわちインターネット上に公開される。ここで、上記公開手段１３２は、好適には、上記端末１３６により所定の顧客情報が入力された場合にのみ前記メッセージデータベース１２４に記憶された入力情報を閲覧可能とする。すなわち、ＩＤによる閲覧制限のある会員制のウェブサイト上に前記メッセージ情報を公開する。
【００４４】
受付手段１３４は、前記メッセージデータベース１２４に記憶された入力情報に従属して更に従属入力情報を受け付ける。具体的には、前記公開手段１３２により公開されるウェブサイトにおいて所定のメッセージ入力画面を表示させてそのメッセージ情報に対する返信としての従属メッセージ情報（レスポンス）の入力を受け付ける。この従属メッセージ情報としては、文字情報のみ受け付けるものであってもよいし、親となるメッセージ情報と同様に文字情報及び映像情報を含むものであっても構わない。このようにして受け付けられた従属メッセージ情報は、親となるメッセージ情報と関連付けられて前記メッセージデータベース１２４に記憶される。そして、前記公開手段１３２は、このようにして前記メッセージデータベース１２４に記憶された従属メッセージ情報を、親となるメッセージ情報に従属させて上記ウェブサイト上に公開する。ここで、前記受付手段１３４は、好適には、所定の顧客情報が入力された場合にのみ前記従属メッセージ情報の入力を受け付ける。すなわち、ＩＤによる従属メッセージ情報の入力制限を設ける。
【００４５】
図１２は、前記電子早見本装置２２のＣＰＵ８０によるメッセージ受付／表示制御について説明するフローチャートであり、所定の周期で繰り返し実行されるものである。
【００４６】
先ず、前記選曲手段１２６の動作に対応するステップ（以下、ステップを省略する）ＳＡ１において、前記タッチパネルディスプレイ７０による操作に応じて前記カラオケ装置１６に対する選曲入力が行われ、その処理が完了したか否かが判断される。このＳＡ１の判断が否定される場合には、ＳＡ８以下の処理が実行されるが、ＳＡ１の判断が肯定される場合には、ＳＡ２において、前記タッチパネルディスプレイ７０により新規メッセージ情報の入力開始操作が行われたか否かが判断される。このＳＡ２の判断が否定される場合には、ＳＡ８以下の処理が実行されるが、ＳＡ２の判断が肯定される場合には、ＳＡ３において、前記タッチパネルディスプレイ７０に図７乃至図８に示すようなメッセージ入力画面が表示され、その表示に従った操作に応じて所定の文字情報が受け付けられる。次に、ＳＡ４において、前記タッチパネルディスプレイ７０により映像入力（お絵描き受付及び写真貼付）開始操作が行われたか否かが判断される。このＳＡ４の判断が否定される場合には、ＳＡ６以下の処理が実行されるが、ＳＡ４の判断が肯定される場合には、ＳＡ５において、前記タッチパネルディスプレイ７０に図９に示すようなお絵描き受付及び写真貼付画面が表示され、その表示に従った操作に応じて所定の映像情報が更に受け付けられる。次に、ＳＡ６において、メッセージ情報の入力完了であるか否かが判断される。このＳＡ６の判断が否定される場合には、ＳＡ３以下の処理が再び実行されるが、ＳＡ６の判断が肯定される場合には、ＳＡ７において、ＳＡ３及びＳＡ５にて入力されたメッセージ情報が、ＳＡ１にて選曲された演奏曲と関連付けられて前記メッセージデータベース１０２に記憶された後、本ルーチンが終了させられる。
【００４７】
ＳＡ８の処理では、前記タッチパネルディスプレイ７０により所定のメッセージ情報に従属する従属メッセージ情報の入力開始操作が行われたか否かが判断される。このＳＡ８の判断が否定される場合には、ＳＡ１４以下の処理が実行されるが、ＳＡ８の判断が肯定される場合には、ＳＡ９において、前記タッチパネルディスプレイ７０に所定の従属メッセージ入力画面が表示され、その表示に従った操作に応じて所定の文字情報が受け付けられる。次に、ＳＡ１０において、前記タッチパネルディスプレイ７０により映像情報の入力開始操作が行われたか否かが判断される。このＳＡ１０の判断が否定される場合には、ＳＡ１２以下の処理が実行されるが、ＳＡ１０の判断が肯定される場合には、ＳＡ１１において、前記タッチパネルディスプレイ７０に所定の映像情報入力画面が表示され、その表示に従った操作に応じて所定の映像情報が更に受け付けられる。次に、ＳＡ１２において、従属メッセージ情報の入力完了であるか否かが判断される。このＳＡ１２の判断が否定される場合には、ＳＡ９以下の処理が再び実行されるが、ＳＡ１２の判断が肯定される場合には、ＳＡ１３において、ＳＡ９及びＳＡ１１にて入力されたメッセージ情報が、親となるメッセージ情報に従属させられて前記メッセージデータベース１０２に記憶された後、本ルーチンが終了させられる。
【００４８】
ＳＡ１４の処理では、前記タッチパネルディスプレイ７０により所定のメッセージ表示操作が行われたか否かが判断される。このＳＡ１４の判断が否定される場合には、ＳＡ１６以下の処理が実行されるが、ＳＡ１４の判断が肯定される場合には、前記表示手段１３０の動作に対応するＳＡ１５において、前記タッチパネルディスプレイ７０による前記演奏曲を索引とした操作に応じて前記メッセージデータベース１０２に記憶されたメッセージ情報が読み出され、図１０に示すようなメッセージ１５０がそのタッチパネルディスプレイ７０に表示される。次に、ＳＡ１６において、前記センタ装置２０との情報の送受信タイミングであるか否かが判断される。このＳＡ１６の判断が否定される場合には、それをもって本ルーチンが終了させられるが、ＳＡ１６の判断が肯定される場合には、ＳＡ１７において、前記メッセージデータベース１０２に記憶されたメッセージ情報が前記センタ装置２０にアップロードされる等の情報の送受信処理が行われた後、本ルーチンが終了させられる。以上の制御において、ＳＡ３、ＳＡ５、ＳＡ９、及びＳＡ１１が前記受付手段１２８の動作に対応する。
【００４９】
図１３は、前記センタ装置２０のＣＰＵ１０４によるメッセージ受付／公開制御について説明するフローチャートであり、所定の周期で繰り返し実行されるものである。なお、この制御では、顧客情報の入力により従属メッセージ情報の書き込みを制限する態様を例示している。
【００５０】
先ず、ＳＢ１において、所定の端末１３６により顧客情報の入力が行われたか否かが判断される。このＳＢ１の判断が否定される場合には、ＳＢ９以下の処理が実行されるが、ＳＢ１の判断が肯定される場合には、ＳＢ２において、前記端末１３６により所定の従属メッセージ入力開始操作が行われたか否かが判断される。このＳＢ２の判断が否定される場合には、ＳＢ９以下の処理が実行されるが、ＳＢ２の判断が肯定される場合には、ＳＢ３において、前記端末１３６による操作に応じて所定の文字情報が受け付けられる。次に、ＳＢ４において、前記端末１３６により映像情報入力開始操作が行われたか否かが判断される。このＳＢ４の判断が否定される場合には、ＳＢ６以下の処理が実行されるが、ＳＢ４の判断が肯定される場合には、ＳＢ５において、前記端末１３６による操作に応じて所定の映像情報が更に受け付けられる。次に、ＳＢ６において、従属メッセージ情報の入力完了であるか否かが判断される。このＳＢ６の判断が否定される場合には、ＳＢ３以下の処理が再び実行されるが、ＳＢ６の判断が肯定される場合には、ＳＢ７において、ＳＢ３及びＳＢ５にて入力されたメッセージ情報が、親となるメッセージ情報に従属させられて前記メッセージデータベース１２４に記憶される。そして、ＳＢ８において、ＳＢ７にて記憶された従属メッセージ情報がウェブサイトに反映された後、本ルーチンが終了させられる。
【００５１】
ＳＢ９の処理では、前記電子早見本装置２２（カラオケ装置１６）との情報の送受信タイミングであるか否かが判断される。このＳＢ９の判断が否定される場合には、それをもって本ルーチンが終了させられるが、ＳＢ９の判断が肯定される場合には、ＳＢ１０において、前記電子早見本装置２２のメッセージデータベース１０２に記憶されたメッセージ情報を取得する等の情報の送受信処理が行われる。次に、ＳＢ１１において、ＳＢ１０にて取得されたメッセージ情報が前記メッセージデータベース１２４に記憶される。そして、ＳＢ１２において、ＳＢ１１にて記憶されたメッセージ情報がウェブサイトに反映された後、本ルーチンが終了させられる。以上の制御において、ＳＢ８及びＳＢ１２が前記公開手段１３２の動作に、ＳＢ３及びＳＢ５が前記受付手段１３４の動作にそれぞれ対応する。
【００５２】
このように、本実施例によれば、前記タッチパネルディスプレイ７０による操作に応じて前記カラオケ装置１６への選曲入力を行う選曲手段１２６（ＳＡ１）と、その選曲手段１２６により所定の選曲入力が行われた場合には、前記タッチパネルディスプレイ７０による操作に応じて所定の入力情報を、選曲された演奏曲と関連付けて受け付ける受付手段１２８（ＳＡ３、ＳＡ５、ＳＡ９、及びＳＡ１１）と、その受付手段１２８により受け付けられた入力情報を前記演奏曲と関連付けて記憶する記憶部８６とを、有することから、電子早見本装置２２による演奏曲の選曲に際して、その選曲された演奏曲にまつわるメッセージ等の情報を受け付けて記憶することで、不特定多数の利用者を対象としたコミュニケーションの場を成立させられる。すなわち、演奏曲を媒介とした利用者相互間のコミュニケーションを実現する電子早見本装置２２を提供することができる。
【００５３】
また、前記入力情報は、前記タッチパネルディスプレイ７０による操作に応じて入力される文字情報であるため、前記電子早見本装置２２により選曲された演奏曲にまつわるメッセージを受け付けて記憶することで、好適なコミュニケーションの場を成立させられるという利点がある。
【００５４】
また、前記入力情報は、前記タッチパネルディスプレイ２２による操作に応じて入力される映像情報であるため、前記電子早見本装置２２により選曲された演奏曲にまつわるフリータッチ絵等を受け付けて記憶することで、好適なコミュニケーションの場を成立させられるという利点がある。
【００５５】
また、前記入力情報は、前記タッチパネルディスプレイ７０による操作に応じて他の端末から取り込まれる映像情報であるため、前記電子早見本装置２２により選曲された演奏曲に関連して、その演奏曲を選曲した利用者の映像をデジタルカメラ付携帯電話機等の端末から取り込んで記憶することで、好適なコミュニケーションの場を成立させられるという利点がある。
【００５６】
また、前記受付手段１２８は、前記記憶部８６に記憶された入力情報に従属して更に従属入力情報を受け付けるものであり、前記記憶部８６は、その受付手段１２８により受け付けられた従属入力情報を、前記入力情報に従属させて記憶するものであるため、前記電子早見本装置２２により選曲された演奏曲に関連して入力されたメッセージ等の情報に、所謂レスポンスとして従属入力情報を付加することができ、発展性のあるコミュニケーションの場を成立させられるという利点がある。
【００５７】
また、前記記憶部８６に記憶された入力情報を、前記タッチパネルディスプレイ７０による前記演奏曲を索引とした操作に応じてそのタッチパネルディスプレイ７０に表示させる表示手段１３０（ＳＡ１５）を有するものであるため、前記記憶部８６に蓄積された入力情報を適宜利用者の閲覧に供することができるという利点がある。
【００５８】
また、前記センタ装置２０は、前記電子早見本装置２２の記憶部８６に記憶された入力情報を取得して統括的に記憶する記憶装置１２０を有することから、前記電子早見本装置２２により選曲された演奏曲に関連して入力されたメッセージ等の情報を統括管理することで、不特定多数の利用者を対象としたコミュニケーションの場を成立させられる。すなわち、演奏曲を媒介とした利用者相互間のコミュニケーションを実現するカラオケシステム１０を提供することができる。
【００５９】
また、前記センタ装置２０は、前記記憶装置１２０に記憶された入力情報を、所定の端末１３６による閲覧可能に公開する公開手段１３２（ＳＢ８及びＳＢ１５）を有するものであるため、前記電子早見本装置２２により選曲された演奏曲に関連して入力されたメッセージ等の情報をインターネット等を介して公開することで、更に多くの利用者を対象としたコミュニケーションの場を成立させられるという利点がある。
【００６０】
また、前記公開手段１３２は、所定の顧客情報が入力された場合にのみ前記記憶装置１２０に記憶された入力情報を閲覧可能とするものであるため、顧客情報を有する会員限定のコミュニケーションの場とすることで、乱暴なレスポンスをする利用者を排除してコミュニティの品位を一定の水準に保てるという利点がある。
【００６１】
また、前記センタ装置２０は、前記記憶装置１２０に記憶された入力情報に従属して更に従属入力情報を受け付ける受付手段１３４（ＳＢ３及びＳＢ５）を有するものであるため、前記電子早見本装置２２により選曲された演奏曲に関連して入力されたメッセージ等の情報に、所謂レスポンスとして従属入力情報を付加することができ、発展性のあるコミュニケーションの場を成立させられるという利点がある。
【００６２】
また、前記受付手段１３４は、所定の顧客情報が入力された場合にのみ前記従属入力情報を受け付けるものであるため、顧客情報を有する会員限定のコミュニケーションの場とすることで、乱暴なレスポンスをする利用者を排除してコミュニティの品位を一定の水準に保てるという利点がある。
【００６３】
以上、本発明の好適な実施例を図面に基づいて詳細に説明したが、本発明はこれに限定されるものではなく、更に別の態様においても実施される。
【００６４】
例えば、前述の実施例において、前記受付手段１２８及び１３４により受け付けられる入力情報（メッセージ情報）は、文字情報及び映像情報を含むものであったが、本発明はこれに限定されるものではなく、文字情報及び映像情報のうち何れか一方のみから成るものであってもよい。また、文字情報及び映像情報に加えて音声情報等、他の付加的な情報を含むものであっても構わない。
【００６５】
また、前述の実施例において、前記電子早見本装置２２は、前記タッチパネルディスプレイ７０による操作に応じて携帯電話機等の他の端末から取り込まれる映像情報を受け付けるものであったが、図１４に示す構成のように、前記電子早見本装置２２がＣＣＤカメラ１５４等の撮像装置を備えたものであり、そのＣＣＤカメラ１５４により撮影された映像情報を入力情報として受け付けるものであっても構わない。
【００６６】
また、前述の実施例において、前記入力情報の表示形式は特に説明していないが、所謂掲示板（BBS）形式やブログ（blog）形式等、好適な形式が適宜選択されて適用され得るものであることは言うまでもない。また、前記センタ装置２０のメッセージデータベース１２４に統括的に記憶されたメッセージ情報を前記電子早見本装置２２により閲覧可能とする構成も当然に考えられる。更には、従属メッセージ情報の書き込みがあった場合には、その親となるメッセージ情報を入力した利用者に電子メールを自動送信するようにしてもよく、様々な技術が必要に応じて適宜付加され得る。
【００６７】
その他、一々例示はしないが、本発明はその趣旨を逸脱しない範囲内において種々の変更が加えられて実施されるものである。
【図面の簡単な説明】
【００６８】
【図１】本発明の一実施例であるカラオケシステムを説明する概略図である。
【図２】図１のカラオケシステムに備えられたカラオケ装置の構成を例示するブロック線図である。
【図３】本発明の一実施例である電子早見本装置の外観を大まかに示す斜視図である。
【図４】図３の電子早見本装置の構成を例示するブロック線図である。
【図５】図１のカラオケシステムに備えられたセンタ装置の構成を例示するブロック線図である。
【図６】図４の電子早見本装置のＣＰＵ及び図５のセンタ装置のＣＰＵによる制御機能の要部を説明する機能ブロック線図である。
【図７】図４の電子早見本装置によるメッセージ情報の受付に際してタッチパネルディスプレイに表示されるメッセージ入力画面の一例を示す図である。
【図８】図４の電子早見本装置によるメッセージ情報の受付に際してタッチパネルディスプレイに表示される電子メールアドレス及びホームページＵＲＬ入力画面の一例を示す図である。
【図９】図４の電子早見本装置によるメッセージ情報の受付に際してタッチパネルディスプレイに表示されるお絵描き受付及び写真貼付画面の一例を示す図である。
【図１０】図４の電子早見本装置によるメッセージ情報の受付に際してタッチパネルディスプレイに表示されるメッセージ確認画面の一例を示す図である。
【図１１】図４の電子早見本装置によるメッセージ情報の表示選択に際してタッチパネルディスプレイに表示されるメッセージ表示選択画面の一例を示す図である。
【図１２】図４の電子早見本装置のＣＰＵによるメッセージ受付／表示制御について説明するフローチャートである。
【図１３】図５のセンタ装置のＣＰＵによるメッセージ受付／公開制御について説明するフローチャートである。
【図１４】本発明の他の実施例であるＣＣＤカメラを備えた電子早見本装置の構成を例示するブロック線図である。
【符号の説明】
【００６９】
１０：カラオケシステム
１６：カラオケ装置
１８：通信回線
２０：センタ装置
２２：電子早見本装置
７０：タッチパネルディスプレイ
８６：記憶部
１２０：記憶装置
１２６：選曲手段
１２８：受付手段
１３０：表示手段
１３２：公開手段
１３４：受付手段
１３６：端末
【図１】
2006251704.tif 000003
【図２】
2006251704.tif 000004
【図３】
2006251704.tif 000005
【図４】
2006251704.tif 000006
【図５】
2006251704.tif 000007
【図６】
2006251704.tif 000008
【図７】
2006251704.tif 000009
【図８】
2006251704.tif 000010
【図９】
2006251704.tif 000011
【図１０】
2006251704.tif 000012
【図１１】
2006251704.tif 000013
【図１２】
2006251704.tif 000014
【図１３】
2006251704.tif 000015
【図１４】
2006251704.tif 000016